(57)【要約】      （修正有）【課題】ゴミステーションで、鳥害防止に使われるネットを、使用後に簡便に折り畳んで、ネット保護用のシートに包み込んで収納し、またゴミの悪臭や細菌類を光触媒溶剤の効果でクリーンにするネットを提供する。【解決手段】等間隔に表側、裏側と交互に折り目の一直線の縫製を施す。表面の折り目の中央に鳩目を取り付け、ロープを通す。そのロープを引き寄せることで、ネットが８分の１に簡便に折り目に沿って畳まれる。縦長になったネットを端からクルクルと丸めて収納シート内に包み込み、引き寄せに使ったロープで結ぶ。光触媒溶剤をネットもしくはシートに施すことによって、紫外線を浴びることによって、セルフクリーニングの触媒効果を半永久的に持続する。【選択図】図１
0003139316.tif 000002
【実用新案登録請求の範囲】
【請求項１】
屋外使用に耐えうる、ポリエステルまたはポリエチレン製のネットを用いて、そのネット平面の二辺の短い一辺を縦方向、長い一辺を横方向とし、その横方向を８等分して山折り谷折りで交互に折り畳み、その折り畳みの線すなわち折り癖を固定するために、縦方向に一本ずつ直線縫いを表側と裏側交互に施すものであるが、即ち表側には４本、裏側には３本の直線縫いが施されることになり、表側の４本の直線縫いの中央に金属の鳩目を各１個取り付けて、その４個の鳩目を利用して一本のロープを通し、そのロープの両端に抜けないように結び目を作り、そのロープの一端を引くことによって８等分に仕切りを作られたネットが重なって折り畳まれるような縫い目とロープとそのロープを通す鳩目部分等、以上の構成からなるゴミステーション用ネット。
【請求項２】
折り畳まれた時ネットを保護し、またその場の環境になじむ色で景観にとけ込ませて美観を保持する目的で選ばれたテント素材のシートがネットの縦幅は同じ、横幅は８分の１のサイズで、収納シートとしてネットの一端の表側に縫い付けられているゴミステーション用ネット。
【請求項３】
ネット部分もしくは収納シート部分に光触媒溶剤が施されて、生ゴミから出る悪臭や細菌類を半永久的に除去するセルフクリーニングを行なうゴミステーション用ネット。
【考案の詳細な説明】
【考案の詳細な説明】
【産業上の利用分野】
【０００１】  本考案は、生ゴミ収集時にカラスや猫が生ゴミを入れた袋をついばんだり、風雨や車両などの接触によるゴミ袋の散乱を防いだり、また回収車が来るまでの間、ゴミ袋をむきだしにして置くという景観を損なう事態を軽減するために、各家庭から持ち出されるゴミ袋をまとめてかぶせておけるポリエステルまたはポリエチレン製ネットを、使用後に手を汚すことなく、縫い目に沿って簡単に折り畳むことができ、収納シートおよび光触媒効果でクリーンに収納することができるネットである。
【背景技術】
【０００２】  現在使われているネットは、周縁部に重しを施した平面一枚の合成樹脂のものである。ゴミ回収車が回収を終えた後、当番の人が二つ折りから四つ折りにしてさらに小さくなるように畳むことになるが、かなり扱いにくい物であり、それゆえそのまま乱雑に広がったままであったり、垂れ下がっていたり、片隅に押し込まれて放置されていることが、多々みられる。
【考案が解決しようとする課題】
【０００３】  ゴミ回収車が回って来た後、役目を終えた平面一枚のネットが、道路上に散乱して景観を損ない、また人や車両の通行を妨げて転倒等を引き起こしたり、樹木に巻き付けられている場合は、その成長を妨害している、いわばネットそのものがゴミ状態になっている。そこで本考案のネットはクルクルと簡便に折り畳んで、収納シートにクリーンに納められるようにしたものである。
【課題を解決するための手段】
【０００４】  本考案になるネットは、４０ｃｍ幅ごとに縦一直線の２ｃｍ幅の縫い目を表側、裏側と交互に施すことによって、屏風のように折り畳むことができる。さらに表側の４本の縫い目の中央に鳩目を取り付けてロープを通し、ロープの両端を抜けないように結び目を作っておく。そのロープの一端を引くことによって、ネットの縫い目が引き寄せられて、ネット全体が横方向に畳まれる。それからクルクルと縦方向に収納シートを表側にして丸めて、引き寄せる時に使ったロープで丸めたネットを結んで固定できるように考えられたネットである。
【考案を実施するための最良の形態】
【０００５】  図１において、符号１はポリエステルまたはポリエチレン製ネットである。からす等の嘴が容易に入らない６ｍｍ角程度の目合いである。ネット全体の大きさは、例えば２ｍ×３．２ｍ程度のものである。図１の中央に取り付けられたロープは、図２から分かるように、ネットの押さえの役目もし、符号７のアルミ製の鳩目はロープを通す穴のみならず、からすの嫌う目玉の役割をも担う。図１の山折り、谷折りの部分に施された縫い目がロープの一端を引き寄せることで、図４のごとく、屏風のように畳むことができ、図７と図８のごとく、横８分の１の大きさになる。最終的な形状は、図９のごとく、さらにまとめて収納に適した大きさにロープで固定される。
【考案の効果】
【０００６】  本考案になるクルクルと折り畳むことができる収納シート付セルフクリーニング・ゴミステーション用ネットはテント素材のシート、ポリエステルまたはポリエチレン製ネット、ロープ、ロープを通すアルミ製鳩目やその補強のためのシート、縫製用のミシン糸などいずれも耐蝕性を備えている。ネットの四辺に配設される鉛線も耐蝕性を持ち、その均等荷重によって、ネットの端部を地面に効果的に密着させる。ネット中央部に止着された合成繊維製ロープは、ネットの縫い目に沿って効果的に折り畳む引き寄せの役割のみならず、収納時のネット固定、そして飛散防止のために構築物等にしばりつけるのに役立たせることができる。
【図面の簡単な説明】
【図１】  本考案になる一実施例を示す平面図である。
【図２】  使用状態を示した図である。
【図３】  図１の縫製部分の拡大図である。
【図４】  図１のロープを引き寄せている側面図である。
【図５】  図１のロープを引き寄せている拡大図である。
【図６】  図１の鳩目の取り付け部分の拡大図である。
【図７】  図１の折り畳まれた側面図である。
【図８】  図１の折り畳まれた正面図である。
【図９】  図６をさらに縦方向にまとめてロープで固定した収納形態の図である。
【符号の説明】
１は  ポリエステルまたはポリエチレン製ネット
２は  表側の縫製部分
３は  裏側の縫製部分
４は  ミシン糸（エステル黒）
５は  空間部
６は  結着用合成繊維製ロープ
７は  アルミ製鳩目
８は  鳩目補強のシート（コイラップ黒）
９は  鉛線（７０ｇ／ｍ）
１０は  テント素材のシート
【図１】
0003139316.tif 000003
【図２】
0003139316.tif 000004
【図３】
0003139316.tif 000005
【図４】
0003139316.tif 000006
【図５】
0003139316.tif 000007
【図６】
0003139316.tif 000008
【図７】
0003139316.tif 000009
【図８】
0003139316.tif 000010
【図９】
0003139316.tif 000011
【手続補正書】
【提出日】平成19年10月29日(2007.10.29)
【手続補正１】
【補正対象書類名】実用新案登録請求の範囲
【補正対象項目名】請求項２
【補正方法】変更
【補正の内容】
【請求項２】
折り畳まれた時、ネットを保護し、またその場の環境になじむ色で景観にとけ込ませて美観を保持する目的で選ばれたテント素材のシートがネットの縦幅は同じ、横幅は８分の１のサイズで、収納シートとしてネットの一端の表側に縫い付けられている請求項１記載のゴミステーション用ネット。
【手続補正２】
【補正対象書類名】実用新案登録請求の範囲
【補正対象項目名】請求項３
【補正方法】変更
【補正の内容】
【請求項３】
ネット部分もしくは収納シート部分に光触媒溶剤が施されて、生ゴミから出る悪臭や細菌類を半永久的に除去するセルフクリーニングを行なう請求項１記載のゴミステーション用ネット。